(57)【要約】【課題】パケット交換網に接続するサーバからの発呼により、パケット通信中の端末装置に回線交換網を利用させる。【解決手段】ＰＳドメイン２０に接続するコンテンツプロバイダーサーバ３０が、パケット通信中の移動機５０ａにＣＳドメイン１０を介した接続を要求する接続要求を送信し、移動機５０ａにＣＳドメイン１０における回線を確立させる。プロトコル変換装置２０ｃが、コンテンツプロバイダーサーバ３０からの接続要求をＣＳドメイン１０における通信プロトコルに従う接続要求に変換し、ＣＳドメイン１０に転送する。【選択図】図１
2006080693.tif 000002
【特許請求の範囲】
【請求項１】
パケット交換網に接続するサーバであって、パケット通信中の端末装置に回線交換網を介した接続を要求する接続要求を送信し、前記端末装置に前記回線交換網における回線を確立させるサーバと、
該サーバからの接続要求を前記回線交換網における通信プロトコルに従う接続要求に変換し、前記回線交換網に転送するプロトコル変換装置と
を備えることを特徴とする通信システム。
【請求項２】
前記サーバは、複数の前記端末装置に前記接続要求を送信し、前記複数の端末装置に前記回線交換網における回線を確立させ、
前記複数の端末装置の回線を連結し、前記複数の端末装置同士を接続する回線連結装置を備えることを特徴とする請求項１に記載の通信システム。
【請求項３】
少なくとも１つの前記回線確立後、前記連結完了までの間に、配信情報を前記回線を介して前記端末装置に送信する情報配信装置を備えることを特徴とする請求項２に記載の通信システム。
【請求項４】
前記プロトコル変換装置は、前記接続要求に含まれる前記端末装置のＩＰアドレスに基づいて前記端末装置の電話番号を取得し、前記ＩＰアドレスを前記電話番号に変換して前記接続要求を転送することを特徴とする請求項１乃至３のいずれか１項に記載の通信システム。
【請求項５】
パケット交換網に接続するサーバが、パケット通信中の端末装置に回線交換網を介した接続を要求する接続要求を送信し、前記端末装置に前記回線交換網における回線を確立させ、
前記サーバからの接続要求を前記回線交換網における通信プロトコルに従う接続要求に変換し、前記回線交換網に転送することを特徴とする通信方法。
【発明の詳細な説明】
【技術分野】
【０００１】
本発明は、通信システム及び通信方法に関する。
【背景技術】
【０００２】
従来、パケット交換網（以下「ＰＳドメイン」という）に接続し、ＰＳドメインを用いたサービスを提供するコンテンツプロバイダーサーバがある。コンテンツプロバイダーサーバは、Ｗｅｂ（Word  Wide  Web）を用いたサービスの提供や、パケット交換通信によるアプリケーションの提供等を行っている。
【０００３】
更に、３ＧＰＰ（3rd  Generation  Partnership  Project）に準拠したＩＭＳ（IP  Multimedia  Subsystem）サービスとして、ＰＳドメインを介して、ＶｏＩＰ（Voice  over  Internet  Protocol）サービスや音声映像配信サービスを提供することが提案されている。又、インターネットサーバ上の情報提供と、音声通話による情報提供を並行して受ける技術も提案されている（例えば、特許文献１参照）。
【特許文献１】特開２００２−７３８４２号公報
【発明の開示】
【発明が解決しようとする課題】
【０００４】
しかしながら、ＰＳドメインを介したＶｏＩＰサービスや音声映像配信サービスは、現在の３ＧＰＰにおけるＰＳドメインがベストエフォート型のサービスを提供していることや、無線区間においてデータ損失が発生してしまうこと等により、適切に提供できない場合があった。
【０００５】
そのため、音声通話サービス等は回線交換網（以下「ＣＳドメイン」という）を介して提供することが考えられる。しかし、ＰＳドメインを介してパケット通信を行っている端末装置に対して、ＰＳドメインに接続するコンテンツプロバイダーサーバが、ＣＳドメインを介した接続を要求し、ＣＳドメインにおける回線を確立することはできなかった。即ち、コンテンツプロバイダーサーバからの発呼により、パケット通信中の端末装置に対してＣＳドメインを用いるサービスを提供することができなかった。又、端末装置のユーザが、通話を行いたい相手の電話番号を知らない場合、通話を開始することができなかった。
【０００６】
そこで、本発明は、パケット交換網に接続するサーバからの発呼により、パケット通信中の端末装置に回線交換網を利用させることを目的とする。
【課題を解決するための手段】
【０００７】
本発明に係る通信システムは、パケット交換網に接続するサーバであって、パケット通信中の端末装置に回線交換網を介した接続を要求する接続要求を送信し、端末装置に回線交換網における回線を確立させるサーバと、サーバからの接続要求を回線交換網における通信プロトコルに従う接続要求に変換し、回線交換網に転送するプロトコル変換装置とを備える。
【０００８】
このような通信システムによれば、パケット交換網に接続するサーバから、パケット通信中の端末装置に接続要求を送信でき、回線交換網に転送することができる。そのため、パケット交換網に接続するサーバからの発呼により、パケット通信中の端末装置に回線交換網における回線を確立させることができ、回線交換網を利用させることができる。
【０００９】
更に、サーバは、複数の端末装置に接続要求を送信し、複数の端末装置に回線交換網における回線を確立させることが好ましい。この場合、通信システムは、複数の端末装置の回線を連結し、複数の端末装置同士を接続する回線連結装置を備えることが好ましい。
【００１０】
これによれば、通信システムは、パケット交換網に接続するサーバからの発呼により、パケット通信中の複数の端末装置に回線交換網における回線を確立させることができ、端末装置同士を回線交換網における回線により接続させて、回線交換網を利用させるサービスを提供できる。
【００１１】
通信システムは、少なくとも１つの回線確立後、連結完了までの間に、配信情報を回線を介して端末装置に送信する情報配信装置を備えることが好ましい。これによれば、通信システムは、少なくとも１つの回線確立後、連結が完了するまでの間を利用して、回線を介した配信情報の提供を端末装置に対して行うことができる。
【００１２】
又、プロトコル変換装置は、接続要求に含まれる端末装置のＩＰアドレスに基づいて端末装置の電話番号を取得し、ＩＰアドレスを電話番号に変換して接続要求を転送することが好ましい。これによれば、サーバが端末装置の電話番号を把握していない場合であっても、回線を確立させることができる。
【００１３】
本発明に係る通信方法は、パケット交換網に接続するサーバが、パケット通信中の端末装置に回線交換網を介した接続を要求する接続要求を送信し、端末装置に回線交換網における回線を確立させ、サーバからの接続要求を回線交換網における通信プロトコルに従う接続要求に変換し、回線交換網に転送することを特徴とする。
【発明の効果】
【００１４】
以上説明したように、本発明によれば、パケット交換網に接続するサーバからの発呼により、パケット通信中の端末装置に回線交換網を利用させることができる。
【発明を実施するための最良の形態】
【００１５】
〔通信システム〕
図１に示すように、通信システム１は、ＰＳドメイン２０と、ＣＳドメイン１０と、コンテンツプロバイダーサーバ３０と、ＤＮＳ（Domain  Name  System）サーバ４０とを備える。
【００１６】
更に、ＰＳドメイン２０は、判別装置２０ａと、セッション管理装置２０ｂと、プロトコル変換装置２０ｃと、ＧＧＳＮ（Gateway   General  packet  radio  service  Support  Node）２０ｄと、ＳＧＳＮ（Serving  General  packet  radio  service  Support  Node）２０ｅとを備える。
【００１７】
又、ＣＳドメイン１０は、ＭＳＣ（Mobile  Switching  Center）１０ａと、ＭＳＣ１０ｂと、マルチトランク装置１０ｃと、情報配信装置１０ｄと、ＨＳＳ（Home  Subscriber  Server）１０ｅとを備える。
【００１８】
ＰＳドメイン２０は、パケット交換方式に従うパケット交換網である。ＰＳドメイン２０では、パケット交換方式に従う通信プロトコル（以下「パケット交換プロトコル」という）が用いられる。ＣＳドメイン１０は、回線交換方式に従う回線交換網である。ＣＳドメイン１０では、回線交換方式に従う通信プロトコル（以下「回線交換プロトコル」という）が用いられる。
【００１９】
例えば、音声通話サービスや音声映像配信サービスのための呼制御を行うパケット交換プロトコルとして、ＶｏＩＰを提供するＳＩＰ（Session  Initiation  Protocol）が用いられる。音声通話サービスや音声映像配信サービスのための呼制御を行う回線交換プロトコルとしてＩＳＵＰ（ISDN  User  Part）プロトコルが用いられる。
【００２０】
コンテンツプロバイダーサーバ３０は、ＰＳドメイン２０に接続するサーバである。コンテンツプロバイダーサーバ３０は、ＰＳドメイン２０を用いてパケット通信によるサービスを端末装置に提供する。更に、コンテンツプロバイダーサーバ３０は、パケット通信中の端末装置に、ＣＳドメイン１０を介した接続を要求する接続要求を送信し、端末装置にＣＳドメインにおける回線を確立させる。
【００２１】
又、コンテンツプロバイダーサーバ３０は、複数の端末装置の回線を連結し、複数の端末装置同士を接続する回線連結装置としても機能する。コンテンツプロバイダーサーバ３０は、コンテンツプロバイダーによって設けられる。
【００２２】
ＤＮＳサーバ４０は、端末装置のＩＰアドレスと電話番号とを対応付けて保持する。そして、ＤＮＳサーバ４０は、ＩＰアドレスに基づいて対応する電話番号を提供する。電話番号は、例えば、ＩＴＵ−Ｔ（International  Telecommunication  Union−Telecommunication  standardization  sector）において規定されているＥ．１６４形式に従うＥ．１６４番号を用いることができる。ＤＮＳサーバ４０は、例えば、ＣＳドメイン１０を運営する通信事業者等によって設けられ、管理される。
【００２３】
判別装置２０ａは、コンテンツプロバイダーサーバ３０からの接続要求が、ＰＳドメイン２０の利用を要求するものであるか、ＣＳドメイン１０の利用を要求するものであるかを判別する。例えば、判別装置２０ａは、接続要求が、ＰＳドメイン２０におけるＶｏＩＰのセッション確立を要求するものか、ＣＳドメイン１０における回線の確立を要求するものであるかを判別する。
【００２４】
セッション管理装置２０ｂは、ＰＳドメイン２０を用いてコンテンツプロバイダーサーバ３０と端末装置との間や、端末装置間に確立されているセッションを管理する。例えば、セッション管理装置２０ｂとして、Ｐ／Ｓ−ＣＳＣＦ（Proxy/Serving−Call State Control Function）サーバ等のＳＩＰに従うＳＩＰサーバ等を用いることができる。セッション管理装置２０ｂは、コンテンツプロバイダーサーバ３０からの接続要求を受け付ける。
【００２５】
プロトコル変換装置２０ｃは、コンテンツプロバイダーサーバ３０からの接続要求を回線交換網における通信プロトコル、即ち、回線交換プロトコルに従う接続要求に変換し、回線交換網に転送する。例えば、プロトコル変換装置２０ｃは、ＳＩＰに従う接続要求をＩＳＵＰに従う接続要求に変換する。プロトコル変換装置２０ｃは、接続要求に含まれる端末装置のＩＰアドレスに基づいてＤＮＳサーバ４０から端末装置の電話番号を取得し、ＩＰアドレスを電話番号に変換して接続要求を転送する。
【００２６】
ＧＧＳＮ２０ｄは、パケット交換サービスを提供し、インターネットや移動通信網、固定網等の外部ネットワークとのゲートウェイとなるノードである。ＳＧＳＮ２０ｅは、パケット交換サービスを提供し、無線アクセスネットワークと接続するノードである。
【００２７】
ＭＳＣ１０ａは、移動通信網や固定網等の外部ネットワークとのゲートウェイトとなる交換機である。ＭＳＣ１０ｂは、無線アクセスネットワークと接続する交換機である。ＨＳＳ１０ｅは、端末装置に関する加入者情報を保持する。ＨＳＳ１０ｅは、端末装置の加入者情報と、端末装置が位置登録を行っているＭＳＣ１０ｂとの対応付けを保持する。
【００２８】
マルチトランク装置１０ｃは、複数の端末装置の回線を連結し、複数の端末装置同士を接続する回線連結装置である。情報配信装置１０ｄは、少なくとも１つの回線確立後、コンテンツプロバイダーサーバ３０やマルチトランク装置１０ｃが連結を完了させるまでの間に、配信情報を回線を介して端末装置に送信する。情報配信装置１０ｄは、音声データや、音声映像データ（ＡＶデータ）等の配信情報を保持する。
【００２９】
端末装置は、例えば、移動機５０ａや、パーソナルコンピュータ等を用いることができる。端末装置は、ＰＳドメイン２０及びＣＳドメイン１０を用いた通信を行う通信機能を備える。例えば、端末装置は、ＣＳドメイン１０を利用した音声通話サービスやテレビ電話通話サービス、音声映像配信サービスを利用可能な機能を備える。又、端末装置は、ウェブブラウザを備え、ＰＳドメイン２０を利用してＨＴＴＰ（HyperText  Transfer  Protocol）により送信される情報等を利用可能である。
【００３０】
次に、通信システム１における具体的な動作について、図２〜図４を用いて説明する。まず、図２を用いて、コンテンツプロバイダーサーバ３０が、パケット通信中の端末装置にＣＳドメイン１０を介した接続を要求する接続要求を送信し、端末装置にＣＳドメイン１０における回線を確立させる際の処理を説明する。以下、端末装置としてユーザＡが利用する移動機５０ａとユーザＢが利用する移動機５０ｂを用いる場合を例にとって説明する。
【００３１】
移動機５０ａは、コンテンツプロバイダーサーバ３０とＰＳドメイン２０におけるＰＳコネクション１００を確立している。そして、移動機５０ａは、パケット通信により情報を受信し、ウェブブラウザを用いて受信した情報を閲覧している。このとき、移動機５０ａは、例えば、ＣＳドメイン１０を利用した音声通話サービスやテレビ電話通話サービス、音声映像配信サービスの利用を、ウェブブラウザ上の操作によりコンテンツプロバイダーサーバ３０に要求する。
【００３２】
コンテンツプロバイダーサーバ３０は、移動機５０ａからのＣＳドメイン１０を利用したサービスの要求を受けると、移動機５０ａにＣＳドメイン１０を介した接続を要求する接続要求を送信する（１０１）。具体的には、コンテンツプロバイダーサーバ３０は、ＳＩＰに従って接続要求を送信する。このとき、コンテンツプロバイダーサーバ３０は、接続要求に、ＣＳドメイン１０の利用の要求、即ち、ＣＳドメイン１０における回線の確立の要求を示すオプションを設定し、ＰＳドメイン２０において判別可能な接続要求を生成する。
【００３３】
判別装置２０ａは、コンテンツプロバイダーサーバ３０からの接続要求を受信する。判別装置２０ａは、接続要求がＰＳドメイン２０の利用を要求するものか、ＣＳドメイン１０の利用を要求するものかを判別する。具体的には、判別装置２０ａは、接続要求にＣＳドメイン１０における回線の確立の要求を示すオプションが設定されているか否かを判断し、接続要求がＰＳドメイン２０におけるＶｏＩＰのセッション確立を要求するものか、ＣＳドメイン１０における回線の確立を要求するものであるかを判別する。
【００３４】
判別装置２０ａは、接続要求がＰＳドメイン２０におけるＶｏＩＰのセッション確立を要求するものと判別した場合には、セッション管理装置２０ｂに接続要求を転送する。判別装置２０ａは、接続要求がＣＳドメイン１０における回線の確立を要求するものと判別した場合には、セッション管理装置２０ｂを経由して、プロトコル変換装置２０ｃに接続要求を転送する（１０２）。このように、セッション管理装置２０ｂが、コンテンツプロバイダーサーバ３０からの接続要求を一度、受け付け、ＣＳドメイン１０における回線確立要求の場合には、プロトコル変換装置２０ｃに転送する。
【００３５】
プロトコル変換装置２０ｃは、受信したＳＩＰに従う接続要求をＩＳＵＰに従う接続要求に変換する。まず、プロトコル変換装置２０ｃは、接続要求に含まれる移動機５０ａのＩＰアドレスに基づいて、ＤＮＳサーバ４０に端末装置の電話番号を問い合わせ、電話番号を取得する（１０３）。例えば、プロトコル変換装置２０ｃは、ＩＰアドレスを指定してＥ．１６４番号要求を行う。
【００３６】
ＤＮＳサーバ４０には、予め、プロトコル変換装置２０ｃは電話番号の取得を許可されていることを設定しておく。ＤＮＳサーバ４０は、Ｅ．１６４番号要求の要求元が電話番号の取得を許可されているか否かを判断し、許可されていると判断した場合には、ＩＰアドレスに対応する電話番号（Ｅ．１６４番号）を提供する。ＤＮＳサーバ４０は、プロトコル変換装置２０ｃは取得を許可されているため、電話番号を提供する。
【００３７】
このように、ＣＳドメイン１０を運営する通信事業者によって管理されるＤＮＳサーバ４０が、権限を有するプロトコル変換装置２０ｃに対してのみ電話番号を提供することが好ましい。これにより、コンテンツプロバイダーサーバ３０に、セキュリティやプライバシーに関わる端末装置の電話番号を提供する必要がなく、安全性を高めることができる。
【００３８】
尚、コンテンツプロバイダーサーバ３０が、端末装置の電話番号を保持してもよい。この場合、コンテンツプロバイダーサーバ３０は、保持する電話番号を用いて、端末装置にＣＳドメイン１０を介した接続を要求する接続要求を送信できる。あるいは、ＤＮＳサーバ４０をコンテンツプロバイダーが設け、ＤＮＳサーバ４０は、コンテンツプロバイダーサーバ３０からの接続要求に関する電話番号の問い合わせに対しては、電話番号を提供するようにしてもよい。
【００３９】
プロトコル変換装置２０ｃは、接続要求に含まれる移動機５０ａのＩＰアドレスを取得した電話番号に変換する。更に、プロトコル変換装置２０ｃは、ＳＩＰに従う接続要求をＩＳＵＰに従う接続要求（ＩＳＵＰ信号）に変換する。そして、プロトコル変換装置２０ｃは、変換した接続要求をＣＳドメイン１０に転送する（１０４）。具体的には、プロトコル変換装置２０ｃは、接続要求をＭＳＣ１０ａに送信し、ＭＳＣ１０ａと接続する。
【００４０】
このように、プロトコル変換装置２０ｃが、接続要求に含まれる端末装置のＩＰアドレスに基づいて端末装置の電話番号を取得し、ＩＰアドレスを電話番号に変換して接続要求を転送することにより、コンテンツプロバイダーサーバ３０が端末装置の電話番号を把握していない場合であっても、回線を確立させることができる。即ち、コンテンツプロバイダーサーバ３０が電話番号を知らない端末装置に対しても、ネットワーク側でＩＰアドレスから電話番号を求めることにより、ＣＳドメイン１０を利用させることができ、利便性を高めることができる。
【００４１】
ＩＳＵＰに従う接続要求（ＩＳＵＰ信号）を受信したＭＳＣ１０ａは、通常の接続要求の処理、即ち、移動機５０ａへの着呼処理を行う。具体的には、ＭＳＣ１０ａは、ＨＳＳ１０ｅにＳＲＩ信号（在圏情報要求信号）を送信し、ＳＲＩ信号に対するＡｃｋ信号を受信する。これにより、ＭＳＣ１０ａは、移動機５０ａの在圏を確認し、移動機５０ａが位置登録を行っているＭＳＣ１０ｂを検出する（１０５）。ＭＳＣ１０ａは、移動機５０ａが位置登録を行っているＭＳＣ２０ｂに接続要求（ＩＳＵＰ信号）を送信する（１０６）。そして、ＭＳＣ１０ｂが、移動機５０ａに接続要求（ＩＳＵＰ信号）を含むページング信号を送信する（１０７）。このように、ＭＳＣ１０ａは、コンテンツプロバイダーサーバ３０からセッション管理装置２０ｂを経由した接続要求を受け、通常のＣＳドメイン１０における着信処理を移動機５０ａに対して行う。
【００４２】
移動機５０ａは、ページング信号に含まれる接続要求（ＩＳＵＰ信号）に対して応答することにより、ＣＳドメイン１０における回線を確立することができる。具体的には、移動機５０ａが、ＭＳＣ１０ａ、プロトコル変換装置２０ｃ、セッション管理装置２０ｂ、判別装置２０ａを経由して、コンテンツプロバイダーサーバ３０まで接続応答を送信する。そして、コンテンツプロバイダーサーバ３０と移動機５０ａとの間に回線２００として、Ｕプレーン（Ｕ−ｐｌａｎｅ）コネクションが確立される。これにより、移動機５０ａは、ＣＳドメイン１０を利用することができ、移動機５０ａにＣＳドメイン１０を利用したサービスを提供できる。例えば、コンテンツプロバイダーサーバ３０は、移動機５０ａに、ＣＳドメイン１０を利用した音声通話サービスやテレビ電話通話サービス等のリアルタイムな通信サービスを提供できる。
【００４３】
次に、図３を用いて、コンテンツプロバイダーサーバ３０が、複数の端末装置にＣＳドメイン１０における回線を確立させ、それらの回線をコンテンツプロバイダーサーバ３０において接続する際の処理を示す。
【００４４】
複数の移動機５０ａ，５０ｂが、コンテンツプロバイダーサーバ３０とＰＳドメイン２０におけるＰＳコネクション１００ａ，１００ｂを確立している。そして、移動機５０ａ，５０ｂは、パケット通信により情報を受信し、ウェブブラウザを用いて受信した情報を閲覧している。このとき、移動機５０ａ，５０ｂのいずれか、或いは、両方が、他方の移動機と、ＣＳドメイン１０を利用して音声通話やテレビ電話通話を行いたいことを、ウェブブラウザ上の操作によりコンテンツプロバイダーサーバ３０に要求する。
【００４５】
コンテンツプロバイダーサーバ３０は、移動機５０ａ，５０ｂのいずれか、或いは、両方から、ＣＳドメイン１０を利用した他方の移動機との通話の要求を受けると、移動機５０ａ，５０ｂそれぞれにＣＳドメイン１０を介した接続を要求する接続要求を送信する。この点以外は、図２に示した処理（１０１）〜（１０７）と同様の処理が、移動機５０ａ，５０ｂそれぞれについて行われる（１０８ａ，１０８ｂ）。
【００４６】
このようにして、コンテンツプロバイダーサーバ３０は、複数の移動機５０ａ，５０ｂそれぞれに接続要求を送信し、複数の移動機５０ａ，５０ｂにＣＳドメイン１０における回線２００ａ，２００ｂを確立させる。具体的には、コンテンツプロバイダーサーバ３０と移動機５０ａとの間に回線２００ａとしてＵプレーン（Ｕ−ｐｌａｎｅ）コネクションが確立され、コンテンツプロバイダーサーバ３０と移動機５０ｂとの間に回線２００ｂとしてＵプレーン（Ｕ−ｐｌａｎｅ）コネクションが確立される。
【００４７】
コンテンツプロバイダーサーバ３０は、複数の移動機５０ａ，５０ｂの回線２００ａ，２００ｂを連結し、複数の移動機５０ａ，５０ｂ同士を接続する（１０９）。これにより、ＣＳドメイン１０を介した移動機５０ａとコンテンツプロバイダーサーバ３０との通話、移動機５０ｂとコンテンツプロバイダーサーバ３０との通話に加え、移動機５０ａと移動機５０ｂとの間で、ＣＳドメイン１０を介した通話が可能となる。
【００４８】
このように、コンテンツプロバイダーサーバ３０とパケット通信中の移動機５０ａ，５０ｂ同士を、コンテンツプロバイダーサーバ３０を折り返し地点とし、ＣＳドメイン１０を介して接続することができる。これによれば、通信システム１は、ＰＳドメイン２０に接続するコンテンツプロバイダーサーバ３０からの発呼により、パケット通信中の複数の移動機５０ａ，５０ｂにＣＳドメイン１０における回線を確立させることができ、移動機５０ａ，５０ｂ同士をＣＳドメイン１０における回線により接続させて、ＣＳドメイン１０を利用させるサービスを提供できる。例えば、コンテンツプロバイダーサーバ３０は、移動機５０ａ，５０ｂに、ＣＳドメイン１０を利用した音声通話サービスやテレビ電話通話サービス等のリアルタイムな通信サービスを提供できる。
【００４９】
次に、図４を用いて、コンテンツプロバイダーサーバ３０が、複数の端末装置にＣＳドメイン１０における回線を確立させ、それらの回線をマルチトランク装置１０ｃにおいて接続する際の処理を示す。
【００５０】
複数の移動機５０ａ，５０ｂが、コンテンツプロバイダーサーバ３０とＰＳドメイン２０におけるＰＳコネクション１００ａ，１００ｂを確立している。そして、移動機５０ａ，５０ｂは、パケット通信により情報を受信し、ウェブブラウザを用いて受信した情報を閲覧している。このとき、移動機５０ａ，５０ｂのいずれか、或いは、両方が、他方の移動機と、ＣＳドメイン１０を利用して音声通話やテレビ電話通話を行いたいことを、ウェブブラウザ上の操作によりコンテンツプロバイダーサーバ３０に要求する。
【００５１】
コンテンツプロバイダーサーバ３０は、移動機５０ａ，５０ｂのいずれか、或いは、両方から、ＣＳドメイン１０を利用した他方の移動機との通話の要求を受けると、移動機５０ａ，５０ｂそれぞれにＣＳドメイン１０を介した接続を要求する接続要求を送信する。又、プロトコル変換装置２０ｃは、マルチトランク装置１０ｃを経由して、ＩＳＵＰに従う接続要求（ＩＳＵＰ信号）をＭＳＣ１０ａに送信する。これにより、プロトコル変換装置２０ｃと、マルチトランク装置１０ｃと、ＭＳＣ１０ａとが接続する。これらの点以外は、図２に示した処理（１０１）〜（１０７）とほぼ同様の処理が、移動機５０ａ，５０ｂそれぞれについて行われる（１１０ａ，１１０ｂ）。
【００５２】
このようにして、コンテンツプロバイダーサーバ３０は、複数の移動機５０ａ，５０ｂそれぞれに接続要求を送信し、複数の移動機５０ａ，５０ｂにＣＳドメイン１０における回線を確立させる。具体的には、移動機５０ａとマルチトランク装置１０ｃとの間の回線と、移動機５０ｂとマルチトランク装置１０ｃとの間の回線が確立される。回線確立後、マルチトランク装置１０ｃは、それぞれの回線を情報配信装置１０ｄに接続する。
【００５３】
その結果、最終的に、ＣＳドメイン１０における回線３００ａとして、移動機５０ａと情報配信装置１０ｄの間にマルチトランク装置１０ｃを経由するＵプレーン（Ｕ−ｐｌａｎｅ）コネクションが確立される。又、回線３００ｂとして、移動機５０ｂと情報配信装置１０ｄの間にマルチトランク装置１０ｃを経由するＵプレーン（Ｕ−ｐｌａｎｅ）コネクションが確立される。
【００５４】
そして、コンテンツプロバイダーサーバ３０は、回線連結要求（Ｕプレーンコネクションの連結要求）をプロトコル変換装置２０ｃを経由してマルチトランク装置１０ｃに送信する。回線連結要求を受信したマルチトランク装置１０ｃは、複数の移動機５０ａ，５０ｂの回線３００ａ，３００ｂを連結し、複数の移動機５０ａ，５０ｂ同士を接続する（１１１）。これにより、移動機５０ａと移動機５０ｂとの間で、ＣＳドメイン１０を介した通話が可能となる。
【００５５】
このように、コンテンツプロバイダーサーバ３０とパケット通信中の移動機５０ａ，５０ｂ同士を、マルチトランク装置１０ｃ、即ち、ＣＳドメイン１０を折り返し地点とし、ＣＳドメイン１０を介して接続することができる。これによれば、通信システム１は、ＰＳドメイン２０に接続するコンテンツプロバイダーサーバ３０からの発呼により、パケット通信中の複数の移動機５０ａ，５０ｂにＣＳドメイン１０における回線を確立させることができ、移動機５０ａ，５０ｂ同士をＣＳドメイン１０における回線により接続させて、ＣＳドメイン１０を利用させるサービスを提供できる。マルチトランク装置２０ｃは、特に、コンテンツプロバイダーサーバ３０が回線連結機能を備えない場合に、ネットワーク側で回線を連結できるため、有効である。
【００５６】
情報配信装置１０ｄは、少なくとも１つの回線確立後、マルチトランク装置１０ｃが回線３００ａと回線３００ｂとの連結を完了させるまでの間に、配信情報を回線３００ａ，３００ｂを介して移動機５０ａ，５０ｂにそれぞれ送信する。情報配信装置１０ｄは、例えば、音声データや、音声映像データ（ＡＶデータ）等の配信情報を送信する。音声データや音声映像データには、例えば、待機案内や広告などがある。これによれば、通信システム１は、少なくとも１つの回線確立後、マルチトランク装置１０ｃが回線の連結を完了させるまでの間を利用して、回線を介した配信情報の提供を移動機５０ａ，５０ｂに対して行うことができる。特に、情報配信装置１０ｄは、コンテンツプロバイダーサーバ３０が、音声データや音声映像データ等の配信機能を備えない場合に、ネットワーク側で情報配信ができるため、有効である。
【００５７】
〔通信方法〕
次に、通信システム１における通信方法の手順を図５、図６を用いて説明する。図５において、点線で囲まれたＡ、Ｂの処理は、並行して行われる。又、図６において、点線で囲まれたＣ、Ｄの処理は、並行して行われる。図５，６において、コンテンツプロバイダーサーバ３０とＰＳドメイン２０との間はパケット通信が行われ、ＣＳドメイン１０と移動機５０ａ，５０ｂとの間は回線交換通信が行われる。
【００５８】
図５に、コンテンツプロバイダーサーバ３０が、複数の移動機５０ａ，５０ｂにＣＳドメイン１０における回線を確立させ、それらの回線をコンテンツプロバイダーサーバ３０において接続する場合の手順を示す。
【００５９】
移動機５０ａ，５０ｂはそれぞれ、コンテンツプロバイダーサーバ３０とＰＳドメイン２０におけるＰＳコネクションを確立している（Ｓ１０１ａ，Ｓ１０１ｂ）。例えば、移動機５０ａが、移動機５０ｂとのＣＳドメイン１０を利用した音声通話やテレビ電話通話を、ウェブブラウザ上の操作によりコンテンツプロバイダーサーバ３０に要求する（Ｓ１０２）。
【００６０】
コンテンツプロバイダーサーバ３０は、移動機５０ａ，５０ｂそれぞれにＣＳドメイン１０を介した接続を要求する接続要求をＳＩＰに従って送信する（Ｓ１０３ａ，Ｓ１０３ｂ）。判別装置２０ａは、コンテンツプロバイダーサーバ３０からの接続要求がＰＳドメイン２０におけるＶｏＩＰのセッション確立を要求するものか、ＣＳドメイン１０における回線の確立を要求するものであるかを判別する。判別装置２０ａは、接続要求がＣＳドメイン１０における回線の確立を要求するものと判別し、セッション管理装置２０ｂを経由して、プロトコル変換装置２０ｃに接続要求を転送する（Ｓ１０４ａ，Ｓ１０４ｂ）。
【００６１】
プロトコル変換装置２０ｃは、受信したＳＩＰに従う接続要求をＩＳＵＰに従う接続要求に変換し、ＭＳＣ１０ａに送信する（Ｓ１０５ａ，Ｓ１０５ｂ）。ＭＳＣ１０ａは、受信した接続要求をそれぞれの移動機５０ａ，５０ｂに送信する（Ｓ１０６ａ，Ｓ１０６ｂ）。
【００６２】
移動機５０ａ，５０ｂは、接続要求に対する接続応答をＭＳＣ１０ａに送信する（Ｓ１０７ａ，Ｓ１０７ｂ）。ＭＳＣ１０ａは、受信した接続応答をプロトコル変換装置２０ｃに送信する（Ｓ１０８ａ，Ｓ１０８ｂ）。プロトコル変換装置２０ｃは、受信した接続応答をコンテンツプロバイダーサーバ３０に送信する（Ｓ１０９ａ，Ｓ１０９ｂ）。
【００６３】
そして、コンテンツプロバイダーサーバ３０と移動機５０ａとの間にＵプレーン（Ｕ−ｐｌａｎｅ）コネクションが確立され（Ｓ１１０ａ）、コンテンツプロバイダーサーバ３０と移動機５０ｂとの間にＵプレーン（Ｕ−ｐｌａｎｅ）コネクションが確立される（Ｓ１１０ｂ）。更に、コンテンツプロバイダーサーバ３０は、移動機５０ａ，５０ｂの回線（Ｕプレーンコネクション）を連結し、移動機５０ａ，５０ｂ同士を接続する。そして、ユーザＡの移動機５０ａとユーザＢの移動機５０ｂは、ＣＳドメイン１０を介した通話を行う（Ｓ１１１）。
【００６４】
図６に、コンテンツプロバイダーサーバ３０が、複数の移動機５０ａ，５０ｂにＣＳドメイン１０における回線を確立させ、それらの回線をマルチトランク装置１０ｃにおいて接続する場合の手順を示す。まず、図５に示したステップ（Ｓ１０１ａ，Ｓ１０１ｂ〜Ｓ１０４ａ，Ｓ１０４ｂ）と同様のステップ（Ｓ２０１ａ，Ｓ２０１ｂ〜Ｓ２０４ａ，Ｓ２０４ｂ）が行われる。
【００６５】
プロトコル変換装置２０ｃは、受信したＳＩＰに従う接続要求をＩＳＵＰに従う接続要求に変換し、マルチトランク装置１０ｃに送信する（Ｓ２０５ａ，Ｓ２０５ｂ）。マルチトランク装置１０ｃは、受信した接続要求をＭＳＣ１０ａに送信する（Ｓ２０６ａ，Ｓ２０６ｂ）。ＭＳＣ１０ａは、受信した接続要求をそれぞれの移動機５０ａ，５０ｂに送信する（Ｓ２０７ａ，Ｓ２０７ｂ）。
【００６６】
移動機５０ａ，５０ｂは、接続要求に対する接続応答をＭＳＣ１０ａに送信する（Ｓ２０８ａ，Ｓ２０８ｂ）。ＭＳＣ１０ａは、受信した接続応答をマルチトランク装置１０ｃに送信する（Ｓ２０９ａ，Ｓ２０９ｂ）。マルチトランク装置１０ｃは、受信した接続応答をプロトコル変換装置２０ｃに送信する（Ｓ２１０ａ，Ｓ２１０ｂ）。プロトコル変換装置２０ｃは、受信した接続応答をコンテンツプロバイダーサーバ３０に送信する（Ｓ２１１ａ，Ｓ２１１ｂ）。
【００６７】
そして、マルチトランク装置１０ｃが、移動機５０ａとマルチトランク装置１０ｃとの間の回線と、移動機５０ｂとマルチトランク装置１０ｃとの間の回線をそれぞれ情報配信装置１０ｄに接続し、情報配信装置１０ｄと移動機５０ａとの間にＵプレーン（Ｕ−ｐｌａｎｅ）コネクションが確立され（Ｓ２１２ａ）、情報配信装置１０ｄと移動機５０ｂとの間にＵプレーン（Ｕ−ｐｌａｎｅ）コネクションが確立される（Ｓ２１２ｂ）。
【００６８】
更に、コンテンツプロバイダーサーバ３０は、移動機５０ａ，５０ｂからの接続応答を受信することにより、Ｕプレーンコネクションの確立を検出する。Ｕプレーンコネクションの確立を検出したコンテンツプロバイダーサーバ３０は、Ｕプレーンコネクションの連結要求をプロトコル変換装置２０ｃに送信する（Ｓ２１３）。プロトコル変換装置２０ｃは、受信したＵプレーンコネクションの連結要求をマルチトランク装置１０ｃに送信する（Ｓ２１４）。マルチトランク装置２０ｃは、移動機５０ａ，５０ｂの回線（Ｕプレーンコネクション）を連結し、移動機５０ａ，５０ｂ同士を接続する。そして、ユーザＡの移動機５０ａとユーザＢの移動機５０ｂは、ＣＳドメイン１０を介した通話を行う（Ｓ２１５）。
【００６９】
尚、ステップ（Ｓ２１２ａ，Ｓ２１２ｂ）においてＵプレーンコネクションが確立された後、ステップ（Ｓ２１３）、（Ｓ２１４）が行われ、マルチトランク装置２０ｃが移動機５０ａ，５０ｂの回線（Ｕプレーンコネクション）の連結を完了させるまでの間、情報配信装置１０ｄは、配信情報を回線（Ｕプレーンコネクション）を介して移動機５０ａ，５０ｂにそれぞれ送信する。
【００７０】
〔サービス例〕
次に、通信システム１を用いたサービス例を図７〜図１０を用いて説明する。
【００７１】
（サービス例１）
図７（ａ）に示すように、移動機５０ａのユーザＡが、ＰＳコネクションを介したパケット通信によりコンテンツプロバイダーサーバ３０が提供するチャットサービスを利用している。このとき、移動機５０ａが、ユーザＢの移動機５０ｂとの通話を希望する場合、図７（ｂ）に示すように、移動機５０ａのウェブブラウザ上でテレビ電話サービスとユーザＢを選択する。
【００７２】
この要求を受けて、コンテンツプロバイダーサーバ３０が、移動機５０ａ，５０ｂにＣＳドメイン１０を介した接続を要求する接続要求を送信し、移動機５０ａ，５０ｂにＣＳドメイン１０における回線を確立させる。そして、コンテンツプロバイダーサーバ３０又はマルチトランク装置２０ｃが、移動機５０ａ，５０ｂの回線を連結することにより、図７（ｃ）に示すように、移動機５０ａと移動機５０ｂは、ＣＳドメイン１０を利用したテレビ電話による通話を開始する。
【００７３】
（サービス例２）
図８（ａ）に示すように、コンテンツプロバイダーサーバ３０が提供するサイトに、各ユーザの移動機が写真等の画像情報をアップロードしておく。図８（ｂ）に示すように、ユーザＡの移動機５０ａが、ＰＳコネクションを介したパケット通信によりサイトにアクセスし、移動機５０ａのウェブブラウザ上で、通話を希望するユーザＢの画像を選択することにより、ユーザＢの移動機５０ｂとのテレビ電話による通話を要求する。
【００７４】
この要求を受けて、コンテンツプロバイダーサーバ３０が、移動機５０ａ，５０ｂにＣＳドメイン１０を介した接続を要求する接続要求を送信し、移動機５０ａ，５０ｂにＣＳドメイン１０における回線を確立させる。そして、コンテンツプロバイダーサーバ３０又はマルチトランク装置２０ｃが、移動機５０ａ，５０ｂの回線を連結することにより、図８（ｃ）に示すように、移動機５０ａと移動機５０ｂは、ＣＳドメイン１０を利用したテレビ電話による通話を開始する。
【００７５】
あるいは、図８（ｄ）に示すように、ユーザＡの移動機５０ａが、ＰＳコネクションを介したパケット通信によりサイトにアクセスしている際に、コンテンツプロバイダーサーバ３０が、ユーザＤの移動機から移動機５０ａとの通話の要求を受けると、移動機５０ａとユーザＤの移動機にＣＳドメイン１０を介した接続を要求する接続要求を送信し、移動機５０ａとユーザＤの移動機にＣＳドメイン１０における回線を確立させる。そして、コンテンツプロバイダーサーバ３０が、移動機５０ａにユーザＤからの着信を通知する。このとき、移動機５０ａが通話を受け入れる場合には、その旨をコンテンツプロバイダーサーバ３０に通知する。
【００７６】
コンテンツプロバイダーサーバ３０は、移動機５０ａからの通知を受けて、移動機５０ａの回線とユーザＤの移動機の回線とを連結する。これにより、図８（ｅ）に示すように移動機５０ａとユーザＤの移動機は、ＣＳドメイン１０を利用したテレビ電話による通話を開始する。
【００７７】
（サービス例３）
図９（ａ）に示すように、移動機５０ａのユーザＡが、ＰＳコネクションを介したパケット通信によりコンテンツプロバイダーサーバ３０が提供するサイトにアクセスしている。このとき、移動機５０ａが、ユーザＢの移動機５０ｂとの通話を希望する場合、移動機５０ａのウェブブラウザ上で移動機５０ｂの電話番号を入力する。
【００７８】
この要求を受けて、コンテンツプロバイダーサーバ３０が、移動機５０ａ，５０ｂにＣＳドメイン１０を介した接続を要求する接続要求を送信し、移動機５０ａ，５０ｂにＣＳドメイン１０における回線を確立させる。そして、少なくとも１つの回線確立後、マルチトランク装置２０ｃが、移動機５０ａ，５０ｂの回線の連結を完了させるまでの間、図９（ｂ）に示すように、情報配信装置１０ｄが広告を移動機５０ａに回線を介して所定時間送信する。その後、図９（ｃ）に示すように、移動機５０ａと移動機５０ｂは、ＣＳドメイン１０を利用したテレビ電話による通話を開始する。これにより、コンテンツプロバイダーサーバ３０は、移動機５０ａに広告を受信させることにより、通話料金を無料とするサービスを提供することができる。
【００７９】
（サービス例４）
図１０（ａ）に示すように、移動機５０ａはバーコードを読み取ることにより、コンテンツプロバイダーサーバ３０が提供するサイトにアクセスする。図１０（ｂ）に示すように、移動機５０ａは、ウェブブラウザ上でテレビ電話録音を選択することにより、移動機５０ｂに提供したい動画メッセージ等をコンテンツプロバイダーサーバ３０に記録することを要求する。
【００８０】
この要求を受けて、コンテンツプロバイダーサーバ３０が、移動機５０ａにＣＳドメイン１０を介した接続を要求する接続要求を送信し、移動機５０ａにＣＳドメイン１０における回線を確立させる。そして、図１０（ｃ）に示すように、移動機５０ａは、ＣＳドメイン１０を利用したテレビ電話による通話により、コンテンツプロバイダーサーバ３０に動画メッセージ等を送信する。コンテンツプロバイダーサーバ３０は、移動機５０ａによる動画メッセージ等を移動機５０ｂに送信する。
【００８１】
〔効果〕
通信システム１及び通信方法によれば、ＰＳドメイン２０に接続するコンテンツプロバイダーサーバ３０から、パケット通信中の移動機５０ａ，５０ｂ等の端末装置に接続要求を送信でき、ＣＳドメイン１０に転送することができる。そのため、ＰＳドメイン２０に接続するコンテンツプロバイダーサーバ３０からの発呼により、パケット通信中の端末装置にＣＳドメイン１０における回線を確立させることができ、ＣＳドメイン１０を利用させることができる。
【００８２】
よって、通信システム１及び通信方法を利用することにより、例えば、以下のような効果を得ることができる。ＣＳドメイン１０、ＰＳドメイン２０を運営する通信事業者は、コンテンツプロバイダーからＣＳドメイン１０の通信料を取得することができ、新たな収益モデルを築くことができる。この場合、ＣＳドメイン１０及びＰＳドメイン２０両方の通信料を管理する課金管理装置を設けることができる。又、コンテンツプロバイダーは、端末装置のユーザや広告主から料金を取得することができる。
【００８３】
又、コンテンツプロバイダーがＣＳドメイン１０を用いたサービスを提供したい場合、新たな設備を設ける必要がなく、多額の投資を必要としない。即ち、コンテンツプロバイダーサーバ３０はＰＳドメイン２０に接続さえしていれば、プロトコルの変換等はＰＳドメイン２０において行われるため、安価に付加価値のあるサービス（ＣＳドメイン１０とＰＳドメイン２０とを連動したサービス）を提供することができる。
【００８４】
しかも、端末装置が、コンテンツプロバイダーサーバ３０にアクセスし、ウェブブラウザを用いた閲覧や、ＰＳドメイン２０を利用したアプリケーションの利用等を行っているとき（パケット通信中）に、ＣＳドメイン１０における回線を確立し、ＣＳドメイン１０を利用できる。そのため、ＣＳドメイン１０の有効活用ができる。
【００８５】
更に、端末装置のユーザの手を煩わすことなく、コンテンツプロバイダーサーバ３０からの発呼により、ＣＳドメイン１０を利用したサービスを提供できる。しかも、コンテンツプロバイダーサーバ３０が発呼するため、端末装置のユーザに課金されないＣＳドメイン１０を利用したサービスを提供できる。又、コンテンツプロバイダーサーバ３０は、端末装置のユーザに、通話を行いたい相手の電話番号を知らない場合であっても通話を可能とするサービスを提供できる。よって、端末装置のユーザはプライバシーが担保された上で、相手の電話番号を知らない場合であっても通話が可能となる等の付加価値のあるサービスを受けることができる。
【図面の簡単な説明】
【００８６】
【図１】本発明の実施形態に係る通信システムの構成を示す図である。
【図２】本発明の実施形態に係る回線の確立を示す図である。
【図３】本発明の実施形態に係る複数回線の確立（コンテンツプロバイダーサーバ折り返し）を示す図である。
【図４】本発明の実施形態に係る複数回線の確立（マルチトランク装置折り返し）を示す図である。
【図５】本発明の実施形態に係る通信方法の手順（コンテンツプロバイダーサーバ折り返し）を示す図である。
【図６】本発明の実施形態に係る通信方法の手順（マルチトランク装置折り返し）を示す図である。
【図７】本発明の実施形態に係るサービス例１を示す図である。
【図８】本発明の実施形態に係るサービス例２を示す図である。
【図９】本発明の実施形態に係るサービス例３を示す図である。
【図１０】本発明の実施形態に係るサービス例４を示す図である。
【符号の説明】
【００８７】
１…通信システム
１０…ＣＳドメイン
１０ａ，１０ｂ…ＭＳＣ
１０ｃ…マルチトランク装置
１０ｄ…情報配信装置
１０ｅ…ＨＳＳ
２０…ＰＳドメイン
２０ａ…判別装置
２０ｂ…セッション管理装置
２０ｂ…ＭＳＣ
２０ｃ…プロトコル変換装置
２０ｃ…マルチトランク装置
２０ｄ…ＧＧＳＮ
２０ｅ…ＳＧＳＮ
３０…コンテンツプロバイダーサーバ
４０…ＤＮＳサーバ
５０ａ，５０ｂ…移動機
【図１】
2006080693.tif 000003
【図２】
2006080693.tif 000004
【図３】
2006080693.tif 000005
【図４】
2006080693.tif 000006
【図５】
2006080693.tif 000007
【図６】
2006080693.tif 000008
【図７】
2006080693.tif 000009
【図８】
2006080693.tif 000010
【図９】
2006080693.tif 000011
【図１０】
2006080693.tif 000012